(57)【要約】【課題】  遊技台への取り付け時に、保持部材の角度合わせと、回動軸の角度合わせとを行わなければならず、作業性が悪かった。【解決手段】  保持部材を構成する筒状の後握持部材４２に対し、位置合わせバネを構成するコイルスプリング６０により、回動軸３０を連結した操作レバー２０を初期位置に向けて付勢せしめておくことにより、保持部材と回動軸３０とは所定角度に保持され、後握持部材４２を遊技台の支持部材５０に対して位置合わせして装着すれば、同回動軸３０も遊技台の背面側の発射装置７０に対して所定角度位置となり、容易に装着できる。【選択図】図１
2010214208.tif 000002
【特許請求の範囲】
【請求項１】
遊技機の発射装置に連結される操作ハンドルであって、
遊技台に固定される保持部材と、
この保持部材に対して回動可能に支持されるとともに同保持部材を貫通して端部を上記発射装置に対して所定角度で位置合わせして連結される回動軸を有する操作レバーと、
上記回動軸が上記保持部材に対して所定角度位置となるように保持せしめる位置合わせ
バネとを具備することを特徴とする操作ハンドル。
【発明の詳細な説明】
【技術分野】
【０００１】
本発明は、遊技機の発射装置に連結される操作ハンドルに関し、特に、同発射装置にお
ける弾発力可変機構に連結されて回動操作にて遊技球の発射速度を調整する操作ハンドル
に関する。
【背景技術】
【０００２】
従来、この種の操作ハンドルとして、図７に示すものが知られている。
操作ハンドル１は、前握持部材２ａと後握持部材２ｂとの間に円盤状の操作レバー３を
回動自在に保持し、同操作レバー３の軸芯に連結された回動軸４が後面側に突出している
。同回動軸４は図示しない遊技台に固定されて上記後握持部材２ｂを回動不能に支持する
支持部材５を貫通し、同遊技台背面側の発射装置に連結されている。この発射装置はスプ
リング６の一端を打撃槌７に連結させるとともに、他端は方向を変換して円弧状の巻き取
りプーリ８に連結されており、上記回動軸４の先端を同巻き取りプーリ８の軸芯部分に回
動不能に挿入して連結している。なお、回動軸４の先端部４ａ側面を切り欠いて半円状に
形成してあるとともに、巻き取りプーリ８の軸芯には対応する同半円径の軸穴８ａを形成
してある。また、操作レバー３には周縁に指掛け部３ａが突出するように形成され、遊技
者は同指掛け部３ａに指をかけて操作レバー３を回動可能となっている。
【０００３】
操作ハンドル１を装着するときには、遊技台の背面に発射装置を組み付け、前面側から
後握持部材２ｂを支持部材５に位置合わせしつつ、回動軸４の先端部４ａを巻き取りプー
リ８の軸穴８ａに位置合わせして挿入する。このように組み付けられた場合、操作ハンド
ル１を回動させると、回動軸４も一体的に回動するため、先端の巻き取りプーリ８も同様
に回転してスプリング６の一端を引き寄せる。これにより、打撃槌７を付勢し、弾発力を
高めることができる。
【発明の概要】
【発明が解決しようとする課題】
【０００４】
上述した従来の操作ハンドルにおいては、支持部材５に対して後握持部材２ｂの位置合
わせをしつつ、回動軸４と巻き取りプーリ８の回転角度位置を合わせる作業が必要であり
、作業性が悪いという課題があった。
本発明は、上記課題にかんがみてなされたもので、遊技台への取り付けを容易にするこ
とが可能な操作ハンドルの提供を目的とする。
【課題を解決するための手段】
【０００５】
上記目的を達成するため、請求項１にかかる発明は、遊技機の発射装置に連結される操
作ハンドルであって、遊技台に固定される保持部材と、この保持部材に対して回動可能に
支持されるとともに同保持部材を貫通して端部を上記発射装置に対して所定角度で位置合
わせして連結される回動軸を有する操作レバーと、上記回動軸が上記保持部材に対して所
定角度位置となるように保持せしめる位置合わせバネとを具備する構成としてある。
【０００６】
上記のように構成した請求項１にかかる発明においては、保持部材には操作レバーが回
動可能に支持されており、同操作レバーに連結された回動軸は同保持部材を貫通している
。ここにおいて、位置合わせバネは回動軸が保持部材に対して所定角度位置となるように
保持せしめており、あえて力を加えて回動させない限り一定の角度位置に保持されている
。従って、この角度位置として保持部材を遊技台に対して位置合わせすれば回動軸が発射
装置に対して適切な角度位置となるようにしておくことにより、保持部材を位置合わせす
るだけで回動軸の発射装置に対する位置合わせも完了する。
【０００７】
ここにおいて、位置合わせバネは、少なくとも回動軸を保持部材に対して所定角度位置
となるように保持せしめることができればよい。すなわち、装着後には回動軸を回動可能
としつつ装着前には保持部材に対して一定角度となるように保持せしめるものであればよ
い。むろん、打撃槌に弾発力を与えるような大きな付勢力を要するものではなく、打撃槌
を付勢するスプリングとは別にこの位置合わせバネを備えている。また、結果的に回動軸
を所定角度に保持できれば良く、実施例のように同回動軸と一体的に連結されている操作
レバーを付勢するものであっても良いし、同回動軸を直に付勢するものであっても構わな
い。
【０００８】
かかる付勢力を与えるバネとしては、バネ形状に応じて各種の構成が可能であり、適宜
変更可能である。また、回動可能な操作レバーに対する電気的な配線を兼用するなどして
も良い。操作レバーは回動するため、通常の電線で配線するとなれば移動可能なように余
裕をもって配線しなければならないものの、余裕がありすぎると絡まってしまうこともあ
る。このような場合にバネで構成されていれば、移動可能となりつつ絡ませることもない
。例えば、遊技機の操作ハンドルであればタッチセンサの電極を操作レバーに備えること
があり、このような場合に電極との配線に利用すれば好適である。さらに、操作レバーを
回動方向に対して付勢するだけでなく、軸方向へも付勢してガタが生じないようにしても
良い。
【０００９】
操作レバーとしては、一般的には円盤状に形成されて指掛け部が形成されているが必ず
しも円盤状である必要はなく、回動軸に連結されて同回動軸を回動操作可能なものであれ
ばよい。従って、握り部分全体が回動するようなものであったりしても良い。むろん、回
動軸と別体となっている必要もなく、一体として形成しておいても良い。
保持部材は一般的には円盤状の操作レバーを回動可能に挟み込んで保持するものである
が、少なくとも遊技台に対して固定されて回動軸を保持するようなものであれば良い。従
って、一体となって直に遊技台に固定されるものであっても良いし、遊技台の側の部材と
操作ハンドルの側とが装着時に位置合わせして固定されるようなものであっても良い。ま
た、形状としては概略筒形となっているが、握り形状などに応じて適宜変更可能である。
【発明の効果】
【００１０】
以上説明したように本発明は、保持部材に対して回動軸が所定角度で保持されるように
なっているため、保持部材の位置合わせだけで回動軸と発射装置との位置合わせも行え、
装着作業を容易にすることが可能な操作ハンドルを提供することができる。
【図面の簡単な説明】
【００１１】
【図１】本発明の一実施形態にかかる操作ハンドルの分解斜視図である。
【図２】操作ハンドルの断面図である。
【図３】操作ハンドルにおける後握持部材の正面図である。
【図４】変形例にかかる操作ハンドルの分解斜視図である。
【図５】操作ハンドルの断面図である。
【図６】操作レバーの背面図である。
【図７】従来の操作ハンドルの概略分解斜視図である。
【発明を実施するための形態】
【００１２】
以下、図面にもとづいて本発明の実施形態を説明する。
図１は、本発明の一実施形態にかかる操作ハンドルを分解斜視図により示している。
【００１３】
同図において、操作ハンドル１０は、円盤状の操作レバー２０と、回動軸３０と、握持
部材４０とから構成され、図示しない遊技台に固定される支持部材５０に装着可能となっ
ている。
操作レバー２０の軸芯には円周の一部を切り欠いて非対称形とした止め孔２１を形成し
てあり、回動軸３０の一方の端部にも同様の切り欠きを形成して非対称形とした固定端３
１を形成してある。同固定端３１には環状の溝部３１ａを形成してあり、当該固定端３１
を操作レバー２０の裏面側から止め孔２１に貫通せしめると同溝部３１ａが操作レバー２
０の前面と面一になる。この後、同溝部３１ａにＥクリップ３２を装着することにより、
回動軸３０は操作レバー２０から外れず、かつ、両者は相対的に回動不能となって一体化
する。
【００１４】
円盤状の操作レバー２０は、周縁の三ヶ所から指掛け部２２ａ〜２２ｃを突出せしめて
形成されており、内側には二つの円弧状の窓部２３ａ，２３ｂを形成してある。当該操作
レバー２０を挟持する握持部材４０は、前握持部材４１と後握持部材４２とからなり、後
握持部材４２に形成した三つのボス４２ａ１〜４２ａ３にて上記窓部２３ａ，２３ｂを貫
通せしめ、その先端を前握持部材４１にネジ止めしてある。また、後握持部材４２には中
心に軸孔４２ｂを形成して回動軸３０を貫通せしめており、このような構造にて前握持部
材４１と後握持部材４２とで操作レバー２０を挟み込みつつ回動可能に支持している。す
なわち、当該握持部材４０が保持部材を構成する。
【００１５】
後握持部材４２は後端側が細径の円筒形をなすとともに前端側が大径の円筒形をなし、
後端開口部分には側面に開口する切り欠き４２ｃが形成されるとともに上記軸孔４２ｂを
拡径してあり、遊技台の側に固定される支持部材５０から突出する筒部５１を挿入させた
ときに同筒部５１の側面に突出する位置決め突起５２が同切り欠き４２ｃ内に入り込んで
位置決めするようになっている。
また、図３に示すように、前方の開口内には金属製の押さえ板４３をネジ止め固定する
とともに、当該押さえ板４３に対してマイクロスイッチ４４が固定してある。また、この
押さえ板４３には同マイクロスイッチ４４を作動させるためのＬ字形の単発打ちレバー４
５を枢動可能に装着してあり、Ｌ字形となった一辺は同マイクロスイッチ４４の作動片４
４ａの外周側を経て後握持部材４２の周壁を貫通して外部に突出し、他片の端部は押さえ
板４３に形成した窓孔４３ａを貫通して操作レバー２０の側に突き出ている。これに対応
して操作レバー２０の側にも押さえ板４３の側に向かって突き当て突起２５を形成してあ
り、所定角度位置で同単発打ちレバー４５に突き当たって枢動せしめる。
【００１６】
すなわち、操作レバー２０が初期位置にあるときに上記突き当て突起２５は同単発打ち
レバー４５に当接して枢動せしめ、他片をマイクロスイッチ４４の作動片４４ａに押し当
ててオフとさせる。しかし、同操作レバー２０が回動されたときには同突き当て突起２５
が単発打ちレバー４５から離れるため、上記他片をマイクロスイッチ４４の作動片４４ａ
に押し付ける力が解き放たれ、この結果、同マイクロスイッチ４４はオンとなる。一方、
操作レバー２０を回動させたときでも遊技者が後握持部材４２の外側で単発打ちレバー４
５を押し込めばマイクロスイッチ４４の作動片４４ａを押し込んでオフとさせることにな
る。なお、このマイクロスイッチ４４は後述する発射装置のモータの操作スイッチとなり
、オンとなったときに通電される。
【００１７】
一方、押さえ板４３には図示しないタッチセンサから延びるリード線４６が半田付け固
定されているとともに、位置合わせバネとしてコイルスプリング６０の一端をネジ止め固
定している。コイルスプリング６０の他端は操作レバー２０の回動軸３０の周縁で時計周
り方向に延設され、当該操作レバー２０に固定されている。初期位置ではコイルスプリン
グ６０はわずかに引き延ばされ、操作レバー２０を反時計周り方向の初期位置に向けて付
勢している。
【００１８】
遊技台の裏側には発射装置７０が装着されており、同発射装置７０は打撃槌７１と、一
端を同打撃槌７１に連結されたスプリング７２と、中央部で遊技台に対して回動可能に支
持されるとともに一端に上記スプリング７２が連結されたアーム７３と、アーム７３の他
端に連結されたワイヤ７４と、同ワイヤ７４の他端に連結された巻き取りプーリ７５とを
備えている。同巻き取りプーリ７５の軸芯には円周の一部を切り欠いて非対称形とした止
め孔７５ａを形成してあり、これに対応して回動軸３０の後方の端部にも同様の切り欠き
を形成して非対称形とした固定端３３を形成してある。これらの同固定端３３と止め孔７
５ａは位置合わせして挿入可能であり、挿入時には相互に自由回転不能に嵌合する。なお
、発射装置７０はモータなどの他の構成機器を備えているのはいうまでもない。
【００１９】
次に、上記構成からなる本実施形態の動作を説明する。
後握持部材４２の内部には予めマイクロスイッチ４４を固定した押さえ板４３と単発打
ちレバー４５とを装着しておき、この押さえ板４３にコイルスプリング６０の一端をネジ
止め固定しておく。回動軸３０の固定端３１を操作レバー２０の止め孔２１に挿入し、Ｅ
クリップ３２で固定したら、上記コイルスプリング６０の他端を当該操作レバー２０の裏
側面にネジ止めする。そして、同コイルスプリング６０が回動軸３０の周縁で反時計周り
方向に付勢するようにして上記回動軸３０を後握持部材４２の軸孔４２ｂに挿通せしめる
。この後、図２に示すように、わずかに操作レバー２０を時計周り方向に回動させ、二つ
の窓部２３ａ，２３ｂにボス４２ａ１〜４２ａ３を挿通せしめ、後握持部材４２の後方側
からネジを貫通させて前握持部材４１をネジ止め固定する。これにより、操作レバー２０
は前握持部材４１と後握持部材４２に挟持され、回動可能に保持される。
【００２０】
この状態では、操作レバー２０は反時計周り方向に付勢され、図２に示すように窓部２
３ａ，２３ｂの端部にボス４２ａ１，４２ａ２が突き当たっている。すなわち、この位置
を初期位置として操作レバー２０と回動軸３０は握持部材４０に対して保持されている。
一方、遊技台には上記発射装置７０と支持部材５０とを組み付けておき、このようにし
て組み立てられた操作ハンドル１０を同支持部材５０に取り付ける。後握持部材４２にお
ける後端の開口に支持部材５０の筒部５１を挿入するが、このときに同筒部５１側面の位
置決め突起５２が後握持部材４２における後端側面の切り欠き４２ｃに入り込むように位
置合わせして挿入する。
【００２１】
このようにして位置合わせして挿入していくときに、上記後握持部材４２を貫通する回
動軸３０は同支持部材５０の筒部５１を貫通し、背面の発射装置７０に向けて押し込まれ
る。押し込まれた回動軸３０の先端の固定端３３は巻き取りプーリ７５の止め孔７５ａに
向かって突進する。上述したように同固定端３３は巻き取りプーリ７５に対して所定角度
位置になっていれば止め孔７５ａ内に進入して嵌合可能である。一方、回動軸３０は後握
持部材４２に対して所定位置となるように保持されており、この初期位置が実は上記固定
端３３を巻き取りプーリ７５の止め孔７５ａに進入せしめる角度になっている。従って、
後握持部材４２を支持部材５０の筒部５１に位置合わせして装着させれば、同時に回動軸
３０自体も発射装置７０における巻き取りプーリ７５に対して位置合わせされる。
【００２２】
従来であれば、後握持部材４２と操作レバー２０とが自由回転可能に保持されているの
で、後握持部材４２と操作レバー２０とをそれぞれ位置合わせして装着しなければならな
かった。これに対して本発明によれば操作レバー２０を全く気にすることなく位置合わせ
して装着可能となる。
なお、本実施形態においては、タッチセンサのリード線４６が押さえ板４３に半田付け
固定されており、コイルスプリング６０は一端を同押さえ板４３に固定されつつ他端を操
作レバー２０にネジ止め固定されている。ここにおいて、当該操作レバー２０はクロムメ
ッキされて導電性を備えているので、リード線４６を介して操作レバー２０自体がタッチ
センサのアンテナの役目をなしている。従って、遊技者が操作レバー２０に触れていれば
タッチセンサは遊技者ありと検出するし、触れていなければタッチセンサは遊技者なしと
検出する。
【００２３】
係る操作レバー２０は後握持部材４２に対して回動するため、リード線４６に余裕を持
たせて操作レバー２０に接続しておくことも可能であるが、余裕がありすぎれば引っかか
ることもあるし、装着持にリード線４６が引っ張られてしまうと操作レバー２０の回動範
囲が規制されてしまうことにもなりかねない。しかるに、このようなコイルスプリング６
０であれば導電性を確保しつつ、絡むこともない。
【００２４】
次に、本発明の変形例について説明する。図４は当該変形例にかかる操作ハンドルを分
解斜視図により示しており、図５は断面図により示しており、図６は操作レバーを背面図
により示している。本変形例においては、位置合わせバネとして捻りバネ６１を利用して
いる。
図において、捻りバネ６１は回動軸３０にて貫通され、一端を上記押さえ板４３にネジ
止め固定されている。しかしながら、同捻りバネ６１の他端は径方向に屈曲されて自由端
となっており、これに対応して操作レバー２０の背面には同捻りバネ６１を外周から包み
込む筒状の壁部２４を形成しつつ同壁部２４には上記捻りバネ６１の自由端が入り込んで
係合可能な切り欠き２４ａを形成してある。その他の部材については上記実施形態のもの
と同様である。
【００２５】
かかる構成において、後握持部材４２の側で押さえ板４３に捻りバネ６１の一端をネジ
止めしておくとともに、操作レバー２０の側では回動軸３０を固定しておき、同回動軸３
０にて軸孔４２ｂに挿通させていく。このとき、同捻りバネ６１の自由端が上記操作レバ
ー２０における壁部２４の切り欠き２４ａ内に入り込むようにして位置合わせすれば、同
捻りバネ６１は一端にて押さえ板４３に固定され、他端にて操作レバー２０に固定される
。むろん、このときに同捻りバネ６１は操作レバー２０を反時計周り方向に付勢する。
【００２６】
この後、前握持部材４１を取り付けて操作ハンドル１０を完成させ、上記支持部材５０
に位置合わせして固定すれば、上述した実施形態と同様に回動軸３０は巻き取りプーリ７
５に対して所定角度で突進し、その止め孔７５ａ内に入り込んで嵌合する。
この実施形態では、捻りバネ６１に対して前方から操作レバー２０を押し付けることに
なるため、その反力で操作レバー２０は前方に押し返される。上述したように操作レバー
２０は前握持部材４１と後握持部材４２とによって挟持されるが、自由回転可能なように
両者の間は広めに形成されている。従って、本来であればガタつきが生じる可能性がある
が、このように捻りバネ６１にて前方に押し付けておけばガタが生じることを防止するこ
ともできる。
【００２７】
このように、保持部材を構成する筒状の後握持部材４２に対し、位置合わせバネを構成
するコイルスプリング６０により、回動軸３０を連結した操作レバー２０を初期位置に向
けて付勢せしめておくことにより、保持部材と回動軸３０とは所定角度に保持され、後握
持部材４２を遊技台の支持部材５０に対して位置合わせして装着すれば、同回動軸３０も
遊技台の背面側の発射装置７０に対して所定角度位置となり、容易に装着できる。
【符号の説明】
【００２８】
１０…操作ハンドル
２０…操作レバー
２１…止め孔
２４…壁部
２４ａ…切り欠き
３０…回動軸
３１…固定端
３３…固定端
４０…握持部材
４１…前握持部材
４２…後握持部材
４２ｂ…軸孔
４２ｃ…切り欠き
５０…支持部材
５１…筒部
５２…位置決め突起
６０…コイルスプリング
６１…捻りバネ
７０…発射装置
【図１】
2010214208.tif 000003
【図２】
2010214208.tif 000004
【図３】
2010214208.tif 000005
【図４】
2010214208.tif 000006
【図５】
2010214208.tif 000007
【図６】
2010214208.tif 000008
【図７】
2010214208.tif 000009
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
遊技機の所定箇所に固定される保持部と、
前記保持部を貫通して端部が発射用手段による遊技球の発射力を調整するための伝達手段に対して位置合わせされる回動軸と、
前記回動軸とともに回動可能に設けられる操作レバーと、
前記回動軸を前記保持部に対して所定角度位置となるように保持するための位置合わせバネと、
該位置合わせバネを係止する前記保持部材に取り付けられた導電性部材
を備えた操作ハンドル。
【手続補正２】
【補正対象書類名】明細書
【補正対象項目名】０００５
【補正方法】変更
【補正の内容】
【０００５】
上記目的を達成するため、請求項１にかかる発明は、遊技機の所定箇所に固定される保持部と、前記保持部を貫通して端部が発射用手段による遊技球の発射力を調整するための伝達手段に対して位置合わせされる回動軸と、前記回動軸とともに回動可能に設けられる操作レバーと、前記回動軸を前記保持部に対して所定角度位置となるように保持するための位置合わせバネと、該位置合わせバネを係止する前記保持部材に取り付けられた導電性部材を備えた構成としてある。
【手続補正３】
【補正対象書類名】明細書
【補正対象項目名】０００６
【補正方法】変更
【補正の内容】
【０００６】
上記のように構成した請求項１にかかる発明においては、保持部には操作レバーが回動可能に支持されており、同保持部とともに回動軸は同保持部を貫通している。ここにおいて、位置合わせバネは回動軸が保持部に対して所定角度位置となるように保持せしめており、あえて力を加えて回動させない限り一定の角度位置に保持されている。従って、この角度位置として保持部を遊技機の所定箇所に対して位置合わせすれば回動軸が発射装置に対して適切な角度位置となるようにしておくことにより、保持部を位置合わせするだけで回動軸の発射装置に対する位置合わせも完了する。
【手続補正４】
【補正対象書類名】明細書
【補正対象項目名】０００７
【補正方法】変更
【補正の内容】
【０００７】
ここにおいて、位置合わせバネは、少なくとも回動軸を保持部に対して所定角度位置となるように保持せしめることができればよい。すなわち、装着後には回動軸を回動可能としつつ装着前には保持部に対して一定角度となるように保持せしめるものであればよい。  むろん、打撃槌に弾発力を与えるような大きな付勢力を要するものではなく、打撃槌を付勢するスプリングとは別にこの位置合わせバネを備えている。また、結果的に回動軸を所定角度に保持できれば良く、実施例のように同回動軸と一体的に連結されている操作レバーを付勢するものであっても良いし、同回動軸を直に付勢するものであっても構わない。
【手続補正５】
【補正対象書類名】明細書
【補正対象項目名】０００９
【補正方法】変更
【補正の内容】
【０００９】
操作レバーとしては、一般的には円盤状に形成されて指掛け部が形成されているが必ずしも円盤状である必要はなく、回動軸に連結されて同回動軸を回動操作可能なものであればよい。従って、握り部分全体が回動するようなものであったりしても良い。むろん、回動軸と別体となっている必要もなく、一体として形成しておいても良い。保持部は一般的には円盤状の操作レバーを回動可能に挟み込んで保持するものであるが、少なくとも遊技機の所定箇所に対して固定されて回動軸を保持するようなものであれば良い。従って、一体となって直に遊技機の所定箇所に固定されるものであっても良いし、遊技機の所定箇所の側の部材と操作ハンドルの側とが装着時に位置合わせして固定されるようなものであっても良い。また、形状としては概略筒形となっているが、握り形状などに応じて適宜変更可能である。
【手続補正６】
【補正対象書類名】明細書
【補正対象項目名】００１０
【補正方法】変更
【補正の内容】
【００１０】
以上説明したように本発明は、保持部に対して回動軸が所定角度で保持されるようになっているため、保持部の位置合わせだけで回動軸と発射装置との位置合わせも行え、装着作業を容易にすることが可能な操作ハンドルを提供することができる。